(57)【要約】【課題】他の部材と干渉することなく、上下方向に移動自在なスタンドを有する移植機を提供する。【解決手段】左右のプランタケース３０及び横フレーム２９に支持ブラケット３１を介して支持筒３２を固定する。該支持筒３２にスタンド杆３７を上下方向移動自在に支持し、該スタンド杆３７を上方の格納位置及び下方の使用位置に位置決め用ピン３３で位置決め固定する。輸送スタンド４５を、フレーム体４２に着脱自在に連結する。【選択図】図４
2019180267.tif 000002
【特許請求の範囲】
【請求項１】
走行機体に移植装置を昇降自在に支持し、該移植装置は、プランタに動力を伝達するプランタケース及びフロートの前部を支持する横フレームを含み互いに一体に結合されているフレーム体を有する移植機において、
前記フレーム体における左右の前記フロートの前部内側近傍上に左右の支持筒を固定し、これら支持筒にスタンド杆を上下方向に移動自在に支持し、
前記左右の支持筒に、前記スタンド杆を下方に移動した使用位置及び上方に移動した格納位置にて位置決め固定する位置決め用ピンを抜き差し自在に設けた、
ことを特徴とする移植機。
【請求項２】
前記左右の支持筒は、左右の前記プランタケース及び前記横フレームに支持ブラケットを介して固定されてなる、
請求項１記載の移植機。
【請求項３】
前記フレーム体に、左右の脚部とこれら脚部の下端を連結する底部を有する輸送スタンドを前記脚部の上端部で着脱自在に連結可能とし、
前記輸送スタンドを前記フレーム体に連結した状態で、該輸送スタンドの前記脚部は、前記左右のフロートと中央フロートの間部分の前部に位置してなる、
請求項１又は２記載の移植機。
【発明の詳細な説明】
【技術分野】
【０００１】
本発明は、乗用田植機等の移植機に係り、詳しくは植付装置等の移植装置を支持するスタンドに関する。
【背景技術】
【０００２】
一般に、乗用田植機は、運送時に昇降リンク機構により下降させた植付装置を、荷台の床面に接地させて支持する輸送時用の輸送スタンドと、植付作業の休止時や機体保管時に使用する接地スタンドとを有している（特許文献１参照）。上記輸送スタンドは、横フレームの左右端部に着脱自在に固定された第１スタンドと、該第１スタンドにスタンド切換機構によりスタンド姿勢と格納姿勢に切換え自在な第２スタンドとからなる。上記の第１スタンドは、その下端に接地板を有しており、第２スタンドを後方に回動した格納姿勢にある場合は、第１スタンドの接地面を接地した低い支持姿勢で植付装置を支持し得る。第２スタンドを第１スタンドと直線状となるスタンド姿勢とした場合、植付装置の最大巾部が輸送用車両の荷台のアオリ板の高さより高い位置になり、植付装置がアオリ板に当ることなく植付装置を支持する。
【先行技術文献】
【特許文献】
【０００３】
【特許文献１】特開２００７−２４４３３３号公報
【発明の概要】
【発明が解決しようとする課題】
【０００４】
上述したスタンドは、輸送スタンドと接地スタンドの２種類の別個のスタンドを有し、更に輸送スタンドは、第１スタンドと第２スタンドからなる複雑な構成からなり、コストアップの原因となっている。また、輸送スタンドは、左右の第２スタンド先（下）端を横支持杆（接地杆）で連結しており、輸送スタンドの接地面を増大して植付装置を安定して支持し得るが、例えば整地装置や施肥用ノズルを有する場合、これら装置（部材）と干渉して設置困難となる。
【０００５】
上記輸送スタンドの第１スタンドは、第２スタンドを取外して、接地スタンドとして用いることが可能であるとしても、該第１スタンドは、横フレームに固着されており、使用時、非使用時に取付け、取外す必要があり、取扱いが面倒である。
【０００６】
そこで、本発明は、スタンド杆を上下方向移動自在にかつ使用位置及び格納位置に位置決め自在とし、もって上述した課題を解決したスタンドを備えた移植機を提供することを目的とするものである。
【課題を解決するための手段】
【０００７】
本発明は、走行機体（５）に移植装置（９）を昇降自在に支持し、該移植装置（９）は、プランタに動力を伝達するプランタケース（３０）及びフロート（１６）の前部を支持する横フレーム（２９）を含み互いに一体に結合されているフレーム体を有する移植機（１）において、
前記フレーム体（３０，２９）における左右の前記フロート（１６ｌ，１６ｒ）の前部内側近傍上に左右の支持筒（３２）を固定し、これら支持筒にスタンド杆（３７）を上下方向に移動自在に支持し、
前記左右の支持筒（３２）に、前記スタンド杆（３７）を下方に移動した使用位置及び上方に移動した格納位置にて位置決め固定する位置決め用ピン（３３）を抜き差し自在に設けた、
ことを特徴とする移植機にある。
【０００８】
好ましくは、前記左右の支持筒（３２）は、左右の前記プランタケース（３０）及び前記横フレーム（２９）に支持ブラケット（３１）を介して固定されてなる。
【０００９】
前記フレーム体（４２）に、左右の脚部（４６，４６）とこれら脚部の下端を連結する底部（４７）を有する輸送スタンド（４５）を前記脚部（４６）の上端部で着脱自在に連結可能とし、
前記輸送スタンド（４５）を前記フレーム体（４２）に連結した状態で、該輸送スタンド（４５）の前記脚部（４６）は、前記左右のフロート（１６ｌ，１６ｒ）と中央フロート（１６ｃ）の間部分（Ｃ）の前部に位置してなる。
【００１０】
なお、上記カッコ内の符号は、図面と対照するためのものであるが、これにより特許請求の範囲の記載に何等影響を及ぼすものではない。
【発明の効果】
【００１１】
本発明によると、左右の支持筒を、左右のフロートの前部内側近傍上のフレーム体に固定し、該支持筒にそれぞれスタンド杆を上下方向移動自在に支持したので、各種装置が込み入っている部分の狭いスペースを有効に利用して、左右のスタンド杆を配置し、スタンド杆を下方に移動して使用位置に位置決め用ピンに位置決め固定することにより、比較的広い間隔を隔てた左右のスタンド杆にて移植装置を安定して支持することができる。また、左右のスタンド杆を上方に移動して格納位置に位置決め用ピンにて位置決め固定することにより、スタンド杆は、他の部材と干渉することなく上方位置に格納され、移植作業を支障なく行うことができる。
【００１２】
前記左右の支持筒を、左右のプランタケース及び横フレームに支持ブラケットを介して強固に固定されるので、左右のスタンド杆は、使用位置において移植装置を安定して支持することができる。
【００１３】
左右のスタンド杆の正面視内側位置に、正面視コ字状の輸送スタンドを取付けることができ、該輸送スタンドは、両脚部及び底部からなる強度の高い構成からなり、輸送時の衝撃に対しても安定して移植装置を支持することができる。また、輸送スタンドは、輸送時以外は、取外されるので、他の部材と干渉することはなく、また輸送スタンドが取付けられた状態では、スタンド杆は格納位置にあるので、スタンド杆が干渉することはない。
【図面の簡単な説明】
【００１４】
【図１】本発明を適用した乗用田植機を示す側面図。
【図２】上記乗用田植機を示す平面図。
【図３】乗用田植機のスタンド部分を示す拡大正面図。
【図４】上記スタンド部分を示す斜視図。
【図５】上記スタンド部分を示す拡大斜視図。
【図６】上記スタンドを接地スタンドとした側面図。
【図７】上記スタンドを輸送スタンドとした側面図。
【発明を実施するための形態】
【００１５】
以下、図面に沿って、本発明の実施の形態について説明する。移植機である乗用田植機１は、図１及び図２に示すように、前輪２及び後輪３で支持される走行機体５を有しており、該走行機体５の後方にはリンク機構６及び油圧シリンダ７により植付装置（移植装置）９が昇降自在に支持される。走行機体５は、前部にエンジン、施肥タンク１０及び予備荷台１１を有し、後部に運転席１２が設けられている。上記植付装置９は、苗のせ台１３、複数（４個）のプランタ１５及び複数（３個）のフロート１６（１６ｃ，１６ｌ，１６ｒ）を有し、更に上記施肥タンク１０から供給される肥料を施肥する複数の施肥ノズル１７が設けられている。
【００１６】
また、走行機体５の後輪３と植付装置９との間に整地装置２０が配置されており、該整地装置２０は、多数の整地板を周面に取付けた整地ローラ２１を有しており、該整地ローラ２１は、植付装置９に上下位置を調節自在に支持され、かつ走行機体５から動力が伝達される。また、整地ローラ２１とフロート１６の先端との間にスタンド２２が配置される。本植付装置９は、４条田植機であり、図２に示すように、後述する２個のプランタケースの左右から上記プランタ１５が突出して設けられ、フロート１６は、中央がＴ字状の感知フロート１６ｃからなり、左右がＵ字状の整地フロート１６ｌ，１６ｒからなる。
【００１７】
植付装置９の前部には、図３〜図５に示すように、上記リンク機構６に連結するマウントに揺動シャフト２５を介して揺動自在かつ水平となるようにスプリングで付勢されて支持されるドライブケース２６が配置され、該ドライブケース２６には植付ＰＴＯ軸２７により走行機体５から動力が伝達されている。ドライブケース２６には横フレーム２９が連結されると共に左右のプランタケース３０，３０が連結されており、上記苗のせ台１３及び各プランタ１５が駆動される。横フレーム２９には各ブラケットを介して上記フロート１６の前部が支持されている。上記左右のプランタケース３０，３０及び横フレーム２９にボルトにより支持ブラケット３１が左右２箇所に固定されている。各支持ブラケット３１は１対のプレートからなり、Ｔ字状の中央フロート（感知フロート）１６ｃとＵ字状の左右のフロート（整地フロート）１６ｌ、１６ｒの間の間部分（隙間）Ｃに対応して配置される。なお、上記支持ブラケット３１は、上記プランタケース３０及び横フレーム２９に限らず、ドライブケース２６を始めとして植付装置９において直接又はブラケットを介して互いに一体に連結されているフレーム体に固定されていればよい。
【００１８】
左右の支持ブラケット３１の１対のプレートの各間にはそれぞれ円筒形の支持筒３２が溶接により固着して配置されている。各支持筒３２は、上下方向が長手方向になっており、その中間部の支持ブラケット３１による固着部分に位置決め用ピン３３のためのピン孔が左右方向に貫通して形成されており、該位置決め用ピン３３は、上記支持筒３２に固定された支持プレート３４に支持されている。上記支持筒３２にはそれぞれスタンド杆３７が貫通して保持されており、該スタンド杆３７は、所定長さの中空円筒部材（パイプ材）からなり、その下部分に格納用ピン孔３８が、上部分に使用位置用のピン孔４４（図７参照）がそれぞれ形成されている。上記位置決め用ピン３３は、Ｌ字状からなり、その丸棒状の真直部が上記支持筒３２のピン孔及びスタンド杆３７の使用位置用又は格納用ピン孔４４，３８に貫通し得、その曲がり部側で上記支持プレート３４のピン孔に支持され、かつ上記真直部の支持筒側に軸方向移動不能にワッシャ４９（図５参照）が嵌合して、該ワッシャと上記支持プレート３４との間にスプリング３９が縮設されている。従って、上記位置決め用ピン３３は、支持筒３２のピン孔及びスタンド杆３７のピン孔に貫通するように付勢されている。
【００１９】
上記スタンド杆３７の下端には比較的左右方向に長いＬ字状の接地プレート４１が溶接により固着されており、左右のスタンド杆３７，３７が接地スタンド４０を構成する。上記左右の支持筒３２，３２は、支持ブラケット３１によりプランタケース３０の前部及び横フレーム２９に固定され、高い強度でフレーム体に一体に支持され、かつ左右のフロート１６ｌ，１６ｒの前部の内側近傍の上方に配置されている。従って、該接地スタンド４０となる左右のスタンド杆３７，３７は、左右のフロート１６の内側隅部の前方に対応する位置に接地する。
【００２０】
前記左右のプランタケース３０，３０の前部及び横フレーム２９にブラケット４２を介して縦フレーム４３が支持されており、上記ブラケット４２に輸送スタンド４５がボルト５０（図５参照）により取外し自在に取付けられている。該輸送スタンド４５は、コ字状に折曲されたプレートからなり、従って左右の脚部４６，４６及びこれら脚部の下端を連結する底部４７を有し、上記脚部４６，４６の上端部で上記ブラケット４２に固定されている。図３〜図５に示されるように、接地スタンド４０が使用位置にあって輸送スタンド４５が取付けられることは通常ないが、輸送スタンド４５は、接地スタンド４０の内側で僅かに後方に配置される。即ち、輸送スタンド４５の両脚部４６，４６は、左右のフロート１６ｌ，１６ｒと中央のフロート１６ｃの間部分Ｃの前部分を通るように配置される。なお、上記輸送スタンド４５の取付けは、上記縦フレーム４３用ブラケット４２に限らず、他のフレーム体でもよい。
【００２１】
本乗用田植機１のスタンド２２は、以上のような構成からなるので、輸送時以外は、図６に示すように、輸送スタンドを取外した状態にある。そして、植付作業の休止時、保管時は、スタンド杆３７を下げた使用位置に位置決め固定する。即ち、位置決め用ピン３３をスタンド杆３７の上方のピン孔４４及び支持筒３２のピン孔に差込んで位置決めする。この状態では、左右のスタンド杆３７，３７は、左右のフロート１６ｌ，１６ｒの内側隅部の僅か前方に位置して、比較的左右方向に広い間隔を隔ててその下端の接地プレート４１が接地して、植付装置９を安定して支持する。
【００２２】
乗用田植機１の植付け使用時は、位置決め用ピン３３を、スプリング３９に抗して移動してスタンド杆３７の上方のピン孔４４から抜いて、スタンド杆３７，３７を上方に移動する（図７参照）。接地プレート４１の立上り部が支持筒３２に接触する上限位置付近にて、位置決め用ピン３３を支持筒３２のピン孔及びスタンド杆３７の格納用ピン孔３８に差込む。これにより、スタンド杆３７は、上方位置である格納位置に位置決め固定され、格納される。
【００２３】
乗用田植機１をトラック等の荷台に載せて輸送する際、図７に示すように、輸送スタンド４５をフレーム体４２にボルト５０で取付ける。この際、スタンド杆３７を下方に移動して接地スタンド４０を使用状態にしておくと作業が容易となる。そして、位置決め用ピン３３を使用位置であるピン孔４４から抜いて、スタンド杆３７を上方に移動し、該ピン３３を格納用ピン孔３８に差込んで位置決めする。この状態では、輸送スタンド４５は、その両脚部４６，４６が中央フロート１６ｃと左右のフロート１６ｌ，１６ｒの間部分Ｃの前部に位置し、フロート１６等と干渉することなく、植付装置９を支持する。輸送スタンド４５は、両脚部４６，４６の下端を連結する底部４７を備え、かつ脚部４６の上部は、縦フレーム４３固定用のブラケット４２に固定され、枠体構造からなる高い強度からなり、輸送時に衝撃が作用しても植付装置９を安定して支持をする。また、輸送時にのみに上記輸送スタンド４５を取付けるので、施肥ノズル１７や整地装置２０等干渉することはなく、植付装置９を荷台等に当てることなく安定して支持する。
【００２４】
スタンド杆３７等のスタンド２２は、左右のプランタケース３０の前方部分で、中央フロート１６ｃと左右のフロート１６ｌ，１６ｒの間部分Ｃ近傍に配置され、各種装置が込み入っている部分の狭いスペースを有効に利用して配置されている。スタンド杆３７を上昇した格納位置、下降した使用位置に移動する際、所定長さの接地プレート４１が整地ローラ２１のカバー２１ａ等に干渉することがあるとしても、スタンド杆３７を回動することにより接地プレート４１をローラカバー２１ａとの干渉を避けて移動することができる。
【００２５】
上記乗用田植機１は、４条植え田植機であるが、本スタンド２２は、４条植えに限らず、４条以上の多数植え用田植機に適用可能である。また、上記スタンド２２を乗用田植機に適用して説明したが、これに限らず、他の移植機にも同様に適用可能である。
【符号の説明】
【００２６】
１        移植機（乗用田植機）
５        走行機体
９        移植装置（植付部）
１６，１６ｃ，１６ｌ，１６ｒ  フロート（中央フロート、左右フロート）
２２        スタンド
２９，３０，４２  フレーム体（横フレーム、プランタケース、ブラケット）
３１        支持ブラケット
３２        支持筒
３３        位置決め用ピン
３７        スタンド杆
４０        接地スタンド
４５        輸送スタンド
４６        脚部
４７        底部
Ｃ        間部分
【図１】
2019180267.tif 000003
【図２】
2019180267.tif 000004
【図３】
2019180267.tif 000005
【図４】
2019180267.tif 000006
【図５】
2019180267.tif 000007
【図６】
2019180267.tif 000008
【図７】
2019180267.tif 000009